(57)【要約】【課題】移動局において長い間欠受信周期を設定しても、基地局が送信する着信信号に付与する制御信号の全てを受信できない状況を低減することができる基地局、移動局、及び通信方法を提供する。【解決手段】制御信号が付与された複数の着信信号を移動局２に送信する基地局１であって、制御信号の数に応じた所定数の第１送信周期を含む第２送信周期を設定し、該第２送信周期に含まれる各第１送信周期により複数の制御信号の全部を少なくとも一度送信可能な数の第２送信周期を含む第３送信周期を設定し、第３送信周期において、第２送信周期の度に該第２送信周期の各第１送信周期にて送信する着信信号に異なる制御信号を付与する制御部１１と、該制御信号が付与された着信信号を移動局２に送信する通信部１２と、を備えることを特徴とする。【選択図】図２
2014112770.tif 000002
【特許請求の範囲】
【請求項１】
制御信号が付与された複数の着信信号を移動局に送信する基地局であって、
制御信号の数に応じた所定数の第１送信周期を含む第２送信周期を設定し、
該第２送信周期に含まれる各第１送信周期により前記複数の制御信号の全部を少なくとも一度送信可能な数の第２送信周期を含む第３送信周期を設定し、
前記第３送信周期において、第２送信周期の度に該第２送信周期の各第１送信周期にて送信する着信信号に異なる制御信号を付与する制御部と、
該制御信号が付与された着信信号を前記移動局に送信する通信部と、
を備えることを特徴とする基地局。
【請求項２】
前記通信部は、前記第３送信周期に係る情報を前記移動局に対して送信し、前記移動局の間欠受信周期を前記第３送信周期の整数倍に設定させないようにすることを特徴とする、請求項１に記載の基地局。
【請求項３】
前記制御部は、第１送信周期の度に送信位置に１を加算し、第２送信周期の度に前記送信位置に２を加算し、前記送信位置が制御信号番号の最大値を超過した場合、該送信位置から前記最大値を減算し、前記送信位置に対応する制御信号番号の制御信号を着信信号に付与することを特徴とする、請求項１又は２に記載の基地局。
【請求項４】
制御信号が付与された複数の着信信号を基地局から受信する移動局であって、
前記基地局により複数の制御信号の数に応じた所定数の第１送信周期を含む第２送信周期が設定され、該第２送信周期に含まれる各第１送信周期により前記複数の制御信号の全部を少なくとも一度送信可能な数の第２送信周期を含む第３送信周期が設定され前記第３送信周期において、第２送信周期の度に該第２送信周期の各第１送信周期にて送信される着信信号に付与された制御信号と、前記第３送信周期に係る情報を前記移動局から受信する通信部と、
前記情報に基づき、間欠受信周期を前記第３送信周期の整数倍以外に設定する制御部と、
を備える移動局。
【請求項５】
移動局及び基地局を備える通信システムにおいて、前記基地局が、制御信号が付与された複数の着信信号を移動局に送信する通信方法であって、
前記基地局が、制御信号の数に応じた所定数の第１送信周期を含む第２送信周期を設定するステップと、
前記基地局が、該第２送信周期に含まれる各第１送信周期により前記複数の制御信号の全部を少なくとも一度送信可能な数の第２送信周期を含む第３送信周期を設定するステップと、
前記基地局が、前記第３送信周期において、第２送信周期の度に該第２送信周期の各第１送信周期にて送信する着信信号に異なる制御信号を付与するステップと、
前記基地局が、該制御信号が付与された着信信号を前記移動局に送信するステップと、
を含む通信方法。
【請求項６】
請求項５に記載の通信方法であって、さらに
前記第３送信周期に係る情報を前記移動局に対して送信するステップを含み、前記移動局の間欠受信周期を前記第３送信周期の整数倍に設定させないようにすることを特徴とする、通信方法。
【請求項７】
請求項５又は６に記載の通信方法であって、さらに
第１送信周期の度に送信位置に１を加算し、第２送信周期の度に前記送信位置に２を加算し、前記送信位置が制御信号番号の最大値を超過した場合、該送信位置から前記最大値を減算し、前記送信位置に対応する制御信号番号の制御信号を着信信号に付与することを特徴とする、通信方法。
【発明の詳細な説明】
【技術分野】
【０００１】
本発明は、基地局、移動局、及び通信方法に関する。
【背景技術】
【０００２】
従来のＰＨＳシステム等の通信システムでは、基地局が送信する着信信号に制御信号を付与し、当該制御信号により移動局を制御している。制御信号は、制御情報やシステム構成の報知情報の受信を指示し、またシステム構成の情報を通知するものであり、基地局は数パターンの制御情報を順番に送信している。図４は従来の通信システムにおける制御情報の通信の概要を示す図である。ここで移動局は省電力化のため、間欠受信動作をし、基地局からの着信信号のうち一部の信号を間欠受信している。基地局は、着信信号５０１〜５０４に夫々制御信号６０１〜６０４を付与する。ここで制御情報は３パターン（制御信号番号１〜制御信号番号３）であり、制御情報６０１と制御情報６０４は同一の情報である。移動局は制御信号６０１〜６０４を受信することにより、３パターン全ての制御信号６０１〜６０３を受信している。
【先行技術文献】
【特許文献】
【０００３】
【特許文献１】特開平０６−２０４９４２号公報
【特許文献２】特開２００２−７８００７号公報
【発明の概要】
【発明が解決しようとする課題】
【０００４】
移動局のさらなる省電力化のため、着信信号の間欠受信周期をより長くすることが検討されている。しかしながら、間欠受信周期を長くすることで、基地局が送信する着信信号に付与する信号の全てを受信できなくなる恐れがある。図５は従来の通信システムにおいて、移動局の間欠受信周期を図４よりも長くした場合の通信の概要を示す図である。この場合、移動局は間欠受信周期におけるはじめの着信信号と制御信号、すなわち制御信号に関しては、制御情報６０１及び、それと同一の制御信号番号の制御情報６０４、６０７しか受信せず、それ以外の時間においては受信動作をしない。したがって移動局は制御信号番号２、３に係る制御信号を受信することができない。
【０００５】
従って、上記のような問題点に鑑みてなされた本発明の目的は、移動局において長い間欠受信周期を設定しても、基地局が送信する着信信号に付与する制御信号の全てを受信できない状況を低減することができる基地局、移動局、及び通信方法を提供することにある。
【課題を解決するための手段】
【０００６】
上記課題を解決するために本発明に係る基地局は、
制御信号が付与された複数の着信信号を移動局に送信する基地局であって、
制御信号の数に応じた所定数の第１送信周期を含む第２送信周期を設定し、
該第２送信周期に含まれる各第１送信周期により前記複数の制御信号の全部を少なくとも一度送信可能な数の第２送信周期を含む第３送信周期を設定し、
前記第３送信周期において、第２送信周期の度に該第２送信周期の各第１送信周期にて送信する着信信号に異なる制御信号を付与する制御部と、
該制御信号が付与された着信信号を前記移動局に送信する通信部と、
を備えることを特徴とする。
【０００７】
また、本発明に係る基地局は、
前記通信部は、前記第３送信周期に係る情報を前記移動局に対して送信し、前記移動局の間欠受信周期を前記第３送信周期の整数倍に設定させないようにすることを特徴とする。
【０００８】
また、本発明に係る基地局は、
前記制御部は、第１送信周期の度に送信位置に１を加算し、第２送信周期の度に前記送信位置に２を加算し、前記送信位置が制御信号番号の最大値を超過した場合、該送信位置から前記最大値を減算し、前記送信位置に対応する制御信号番号の制御信号を着信信号に付与することを特徴とする。
【０００９】
また、本発明に係る移動局は、
制御信号が付与された複数の着信信号を基地局から受信する移動局であって、
前記基地局により複数の制御信号の数に応じた所定数の第１送信周期を含む第２送信周期が設定され、該第２送信周期に含まれる各第１送信周期により前記複数の制御信号の全部を少なくとも一度送信可能な数の第２送信周期を含む第３送信周期が設定され前記第３送信周期において、第２送信周期の度に該第２送信周期の各第１送信周期にて送信される着信信号に付与された制御信号と、前記第３送信周期に係る情報を前記移動局から受信する通信部と、
前記情報に基づき、間欠受信周期を前記第３送信周期の整数倍以外に設定する制御部と、
を備えることを特徴とする。
【００１０】
また、本発明に係る通信方法は、
移動局及び基地局を備える通信システムにおいて、前記基地局が、制御信号が付与された複数の着信信号を移動局に送信する通信方法であって、
前記基地局が、制御信号の数に応じた所定数の第１送信周期を含む第２送信周期を設定するステップと、
前記基地局が、該第２送信周期に含まれる各第１送信周期により前記複数の制御信号の全部を少なくとも一度送信可能な数の第２送信周期を含む第３送信周期を設定するステップと、
前記基地局が、前記第３送信周期において、第２送信周期の度に該第２送信周期の各第１送信周期にて送信する着信信号に異なる制御信号を付与するステップと、
前記基地局が、該制御信号が付与された着信信号を前記移動局に送信するステップと、
を含むことを特徴とする。
【００１１】
また、本発明に係る通信方法は、
前記第３送信周期に係る情報を前記移動局に対して送信するステップを含み、前記移動局の間欠受信周期を前記第３送信周期の整数倍に設定させないようにすることを特徴とする。
【００１２】
また、本発明に係る通信方法は、
第１送信周期の度に送信位置に１を加算し、第２送信周期の度に前記送信位置に２を加算し、前記送信位置が制御信号番号の最大値を超過した場合、該送信位置から前記最大値を減算し、前記送信位置に対応する制御信号番号の制御信号を着信信号に付与することを特徴とする。
【発明の効果】
【００１３】
本発明における基地局、移動局、及び通信方法によれば、移動局において長い間欠受信周期を設定しても、基地局が送信する着信信号に付与する制御信号の全てを受信できない状況を低減することができる。
【図面の簡単な説明】
【００１４】
【図１】本発明の一実施形態に係る通信システムのブロック図である。
【図２】制御信号の概要を示す図である。
【図３】本発明の一実施形態に係る基地局の動作を示すフローチャートである。
【図４】従来の通信システムにおける制御情報の通信の概要を示す図である。
【図５】従来の通信システムにおける、間欠受信時間が図４よりも長い場合の制御情報の通信の概要を示す図である。
【発明を実施するための形態】
【００１５】
以下、本発明の実施の形態について説明する。
【００１６】
（実施の形態）
図１は本発明の一実施形態に係る通信システムのブロック図である。本発明の一実施形態に係る通信システムは、基地局１と、移動局２とを備える。
【００１７】
基地局１は、制御部１１と、通信部１２とを備える。基地局１は概略として、制御信号が付与された複数の着信信号を移動局２に対して送信する。
【００１８】
制御部１１は、着信信号に付与する制御信号の設定をする。制御部１１は、所定の周期で各着信信号に複数のパターンの制御信号の中のいずれか一つの制御信号を付与する。以下では、制御信号のパターン数（以下、制御信号の数という。）が３である例を示す。また各制御信号のパターンを制御信号番号１〜３として表す。なおここで、基地局１が一つの着信信号及び該着信信号に付与された制御信号を送信する周期を第１送信周期と呼ぶ。
【００１９】
制御部１１は、制御信号の数に応じた所定数の第１送信周期を含む第２送信周期（以下、ローテーション周期という。）を設定する。ローテーション周期が所定数の第１送信周期を含むとは、ローテーション周期の時間間隔が、第１送信周期の時間間隔の所定数倍であることを意味する。この場合、制御信号の数である３に対応する３つの第１送信周期を含むローテーション周期を設定する。制御部１１は、ローテーション周期に含まれる３つの第１送信周期において、各々制御信号番号１〜３の制御信号を着信信号に付与する。
【００２０】
また制御部１１は、第２送信周期に含まれる各第１送信周期により、複数の制御信号の全部を少なくとも一度送信可能な所定数の第２送信周期を含む第３送信周期（以下、回転周期という。）を設定する。制御信号の数が３である場合は、３つ以上のローテーション周期を含む。このように３つのローテーション周期を含むことで、各ローテーション周期に含まれる各第１送信周期により、制御信号番号１〜３の全ての制御信号を少なくとも一度送信可能となる。なお上記同様に、回転周期が所定の数のローテーション周期を含むとは、回転周期の時間間隔が、ローテーション周期の時間間隔の所定数倍であることを意味する。
【００２１】
また制御部１１は、回転周期において、ローテーション周期の度に該ローテーション周期の各第１送信周期にて送信する着信信号に異なる制御信号を付与する。つまり制御部１１は、各ローテーション周期の１番目の第１送信周期に各々制御信号番号１〜３の制御信号を着信信号に付与する。移動局２は、各ローテーション周期の１番目の第１送信周期の制御信号のみ受信すれば、制御信号番号１〜３の制御信号、すなわち全てのパターンの制御信号を受信することができる。
【００２２】
同様に制御部１１は、各ローテーション周期の２番目の第１送信周期に各々制御信号番号１〜３の制御信号を着信信号に付与する。移動局２は、各ローテーション周期の２番目の第１送信周期の制御信号のみ受信すれば、制御信号番号１〜３の制御信号、すなわち全ての制御信号を受信することができる。また制御部１１は、各ローテーション周期の３番目の第１送信周期に各々制御信号番号１〜３の制御信号を着信信号に付与する。移動局２は、各ローテーション周期の３番目の第１送信周期の制御信号のみ受信すれば、制御信号番号１〜３の制御信号、すなわち全てのパターンの制御信号を受信することができる。
【００２３】
制御部１１が各着信信号に制御信号を付与する具体的手法について、以下詳説する。制御部１１は、着信信号を送信した回数を示すカウンタ（以下送信回数という。）と、制御信号番号を特定する位置カウンタ（以下送信位置という。）に基づき、付与する制御信号の制御信号番号を決定する。初期状態において送信回数及び送信位置はいずれも０に設定されている。送信回数及び送信位置は、基地局１の記憶部（不図示）に格納される。
【００２４】
まず制御部１１は、送信する着信信号を決定し、送信回数に１を加算する。続いて制御部１１は、送信回数がローテーション周期に含まれる第１送信周期の数（ここでは３）を超過しているか否かを判定する。制御部１１は送信回数がローテーション周期に含まれる第１送信周期の数を超過している場合、送信回数を１にリセットし、送信位置に２を加算する。一方制御部１１は、送信回数がローテーション周期に含まれる第１送信周期の数を超過していない場合、送信位置に１を加算する。
【００２５】
続いて制御部１１は、送信位置が制御信号番号の最大値（ここでは３）を超過しているか否かを判定する。制御部１１は、送信位置が制御信号番号の最大値を超過している場合、送信位置から制御信号番号の最大値を減算する。一方制御部１１は、送信位置が制御信号番号の最大値を超過していない場合、当該減算を行わない。そして制御部１１は、送信位置の値と同一の制御信号番号の制御信号を、着信信号に付与する。
【００２６】
このように制御部１１が着信信号に付与した制御信号の概要を図２に示す。図２に示すように各ローテーション周期は、制御信号の数である３に対応する３つの第１送信周期を含む。また回転周期には、ローテーション周期に含まれる各第１送信周期により３つの制御信号の全部を少なくとも一度送信可能な数として、３つのローテーション周期を含む。制御部１１は、各ローテーション周期３０１〜３０３に含まれる第１送信周期で送信する着信信号に、各々異なる制御信号番号の制御信号を付与しており、例えば図２に示すローテーション周期３０１内の着信信号１０１〜１０３には、制御信号番号１〜３の制御信号２０１〜２０３が付与される。
【００２７】
また図２に示すように、制御部１１は、回転周期４０１に含まれる各ローテーション周期の各１番目の第１送信周期にて送信する着信信号（着信信号１０１、着信信号１０４、及び着信信号１０７）に各々異なる制御信号番号の制御信号（制御信号２０１、制御信号２０４、及び制御信号２０７）を付与している。同様に図２に示すように、制御部１１は、回転周期に含まれる各ローテーション周期の各２番目の第１送信周期にて送信する着信信号（着信信号１０２、着信信号１０５、及び着信信号１０８）に各々異なる制御信号番号の制御信号（制御信号２０２、制御信号２０５、及び制御信号２０８）を付与している。同様に図２に示すように、制御部１１は、回転周期に含まれる各ローテーション周期の各３番目の第１送信周期にて送信する着信信号（着信信号１０３、着信信号１０６、及び着信信号１０９）に各々異なる制御信号番号の制御信号（制御信号２０３、制御信号２０６、及び制御信号２０９）を付与している。
【００２８】
通信部１２は、制御部１１の制御に基づき、制御信号が付与された着信信号を移動局２に対して送信する。具体的には通信部１２は、回転周期において、ローテーション周期の度に該ローテーション周期の各第１送信周期にて送信する着信信号に制御信号を付与して該着信信号を送信する。
【００２９】
移動局２は、通信部２１と、制御部２２とを備える。通信部２１は、基地局１からの着信信号及び制御信号を所定の間欠受信周期にて間欠受信する。間欠受信とは各間欠受信周期において第１送信周期の間だけ動作し、それ以外においては受信動作しないことをいう。制御部２２は、移動局２に係る各種制御を行う。
【００３０】
基地局１の制御部１１がこのように着信信号に制御信号を付与することにより、移動局２の間欠受信周期が回転周期の整数倍以外である場合に、全ての制御信号を受信することができる。表１は、間欠受信周期と各間欠受信回数において移動局２が受信する制御信号の制御信号番号を示す表である。表１に示すように、間欠受信周期が回転周期の整数倍以外の場合には、制御信号番号１〜３の全ての制御信号を受信できる。なお表１においては、制御信号番号１〜３をそれぞれＡ、Ｂ、Ｃにより表している。
【００３１】
【表１】
2014112770.tif 000003
【００３２】
次に、本発明に係る基地局１の制御信号の付与に係る具体的動作について、図３に示すフローチャートにより説明する。初期状態において送信回数及び送信位置はいずれも０に設定されているものとする。
【００３３】
はじめに制御部１１は、着信信号を生成するタイミングになると、送信する着信信号を決定する（ステップＳ１）。次に制御部１１は、送信回数に１を加算する（ステップＳ２）。
【００３４】
続いて制御部１１は、送信回数がローテーション周期に含まれる第１送信周期の数（ここでは３）を超過しているか否かを判定する（ステップＳ３）。超過している場合はステップＳ４に進む。超過していない場合はステップＳ６に進む。
【００３５】
制御部１１は送信回数がローテーション周期に含まれる第１送信周期の数を超過している場合、送信回数を１にリセットし（ステップＳ４）、送信位置に２を加算する（ステップＳ５）。一方制御部１１は、送信回数がローテーション周期に含まれる第１送信周期の数を超過していない場合、送信位置に１を加算する（ステップＳ６）。
【００３６】
続いて制御部１１は、送信位置が制御信号番号の最大値（ここでは３）を超過しているか否かを判定する（ステップＳ７）。制御部１１は、送信位置が制御信号番号の最大値を超過している場合、送信位置から制御信号番号の最大値を減算する（ステップＳ８）。そして制御部１１は、送信位置の値と同一の制御信号番号の制御信号を、着信信号に付与する（ステップＳ９）。そして、ステップＳ１に進み、ステップＳ１〜Ｓ９の処理を繰り返す。このように基地局１はステップＳ１〜Ｓ９を繰り返すことで、着信信号に付与する制御信号を決定する。
【００３７】
このように本発明によれば、基地局１の制御部１１が制御信号の数に応じた所定数の第１送信周期を含む第２送信周期（ローテーション周期）を設定し、第２送信周期に含まれる各第１送信周期により複数の制御信号の全部を少なくとも一度送信可能な数の第２送信周期を含む第３送信周期（回転周期）を設定し、第３送信周期において、第２送信周期の度に該第２送信周期の各第１送信周期にて送信する着信信号に異なる制御信号を付与するため、間欠受信周期が回転周期の整数倍以外であれば、制御信号の全てを受信することができるため、移動局２において長い間欠受信周期を設定しても、基地局１が送信する着信信号に付与する制御信号の全てを受信できない状況を低減することができる。
【００３８】
なお通信部１２は、回転周期に係る情報を移動局２に対して送信し、移動局２の間欠受信周期を回転周期の整数倍に設定させないようにしてもよい。この場合移動局２の通信部２１は当該情報と受信し、制御部２２は、当該情報に基づき間欠受信周期を回転周期の整数倍以外に設定する。
【００３９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【００４０】
１  基地局
２  移動局
１１  制御部
１２  通信部
２１  通信部
２２  制御部
１０１〜１０９  着信信号
２０１〜２０９  制御信号
３０１〜３０３  ローテーション周期
４０１    回転周期
５０１〜５０９  着信信号
６０１〜６０９  制御信号
【図１】
2014112770.tif 000004
【図２】
2014112770.tif 000005
【図３】
2014112770.tif 000006
【図４】
2014112770.tif 000007
【図５】
2014112770.tif 000008